(57)【要約】【課題】身体又はその一部を分散して支持することができるとともに、備長炭などの炭粒子による効果を充分に得ることができる健康用品を提供すること。【解決手段】実質上同じ大きさの下部材４及び上部材６を重ね合わせて構成されるマットレス本体２と、炭粒子が実質上均一に分散して収容された炭シート体１０とを備えたマットレス。上部材６には複数個の通気孔１２が実質上全域にわたって設けられ、炭シート体１０は下部材４と上部材６との間に介在され、下部材４及び上部材６は、炭シート体１０の周囲の部位が相互に接着剤により固着される。マットレスのような健康用品に加えて、枕、クッション及び体位変換具などにも適用することができる。【選択図】　　　図３
2004065817.tif 000002
【特許請求の範囲】
【請求項１】
実質上同じ大きさの下部材及び上部材を重ね合わせて構成される用品本体と、炭粒子が実質上均一に分散して収容された炭シート体とを備え、前記上部材には複数個の通気孔が実質上全域にわたって設けられ、前記炭シート体は前記下部材と上部材との間に介在され、前記下部材及び前記上部材は、前記炭シート体の周囲の部位が相互に接着剤により固着されることを特徴とする健康用品。
【請求項２】
前記用品本体は、天然発泡ゴムから形成された単一の用品用部材を上下に切断することによって、前記下部材及び前記上部材が形成されることを特徴とする請求項１記載の健康用品。
【請求項３】
前記用品用部材には複数個の貫通孔が実質上全域にわたって設けられ、前記複数個の貫通孔を横切るように、前記用品用部材が上下に切断されることを特徴とする請求項２記載の健康用品。
【請求項４】
前記用品用部材には、表面から裏面に向けて延びる複数個の凹部が実質上全域にわたって設けられ、前記複数個の凹部を横切るように、前記用品用部材が上下に切断されることを特徴とする請求項２記載の健康用品。
【請求項５】
前記用品用部材には、表面から裏面に向けて延びる複数個の第１凹部と、裏面から表面に向けて延びる複数個の第２凹部とが実質上全域にわたって設けられ、前記複数個の第１凹部を横切るように、前記用品用部材が上下に切断されることを特徴とする請求項２記載の健康用品。
【請求項６】
前記炭シート体は、通気性を通する一対のシートと、一対のシート間に貼付された備長炭及び／又は竹炭の粒子とから構成されていることを特徴とする請求項１〜５のいずれかに記載の健康用品。
【請求項７】
前記用品用本体は、ベッド用マットレス本体、シート用クッション本体、背もたれ用クッション本体、枕用芯本体又は体位変換具用芯本体であることを特徴とする請求項１〜６のいずれかに記載の健康用品。
【発明の詳細な説明】
【０００１】
【発明の属する技術分野】
本発明は、病院、介護施設などにおいて用いるマットレス、クッション、枕、体位変換具などの健康用品に関する。
【０００２】
【従来の技術】
健康用品としてのベッドに用いるマットレスは、ウレタン、天然ゴム、合成ゴムなどから形成されたマットレス本体を備え、このマットレス本体に複数個の通気貫通孔（又は通気凹部）が設けられている（例えば、特開２００１−２５４２５号公報参照）。このようなマットレスでは、複数個の通気貫通孔（又は通気凹部）が設けられているので、マットレス本体が弾性変形して沈み込み易くなり、体位を分散して支持することができるとともに、身体に対する押圧力を弱くすることができる。
【０００３】
また、このようなマットレスとして、ポリウレタン樹脂に備長炭粉末を混入して発泡成形したものも提案されている（特開２００１−３０２７５２号公報参照）。このようなマットレスでは、備長炭粉末が混入されているので、備長炭粉末による効果、例えば調湿効果（吸湿、放出作用）、脱臭効果（臭い吸着作用）、マイナスイオン効果（血液の浄化作用、自律神経の調整作用）などが得られ、健康面での効果の高いマットレスとして提供することができる。
【０００４】
【発明が解決しようとする課題】
しかしながら、上述したマットレスでは、次の通りの解決すべき問題がある。
例えば、マットレス本体に通気貫通孔（又は通気凹部）を設けたものでは、体位を分散して支持することができるが、備長炭が混入されていないために、備長炭による効果、即ち調湿効果、脱臭効果、マイナスイオン効果などを得ることができない。
【０００５】
また、例えばポリウレタン樹脂に備長炭粉末を混入したものでは、混入して発泡成形する故に、混入した備長炭粉末がマットレス本体の表面側に効果的に作用せず、混入した一部（その割合が小さい）がその表面側に作用するするのみであり、備長炭粉末による各種効果を充分に得ることができない。
【０００６】
本発明の目的は、身体又はその一部を分散して支持することができるとともに、備長炭などの炭粒子による効果を充分に得ることができる健康用品を提供することである。
【０００７】
【課題を解決するための手段】
本発明は、実質上同じ大きさの下部材及び上部材を重ね合わせて構成される用品本体と、炭粒子が実質上均一に分散して収容された炭シート体とを備え、
前記上部材には複数個の通気孔が実質上全域にわたって設けられ、前記炭シート体は前記下部材と上部材との間に配設され、前記下部材及び前記上部材は、前記炭シート体の周囲の部位が相互に接着剤により固着されることを特徴とする健康用品である。
【０００８】
本発明に従えば、用品本体の上部材と下部材との間に炭シート体が配設され、上部材には実質上全域にわたって通気孔が形成されているので、これら通気孔を通して炭シート体が外部に露出し、人体からの汗などによって湿気が高くなると、炭シート体の炭粒子が湿気を吸収する一方、湿気が低くなると、この炭粒子が吸収した湿気を放出し、こような炭粒子の調湿効果により用品本体の実質上全域を快適環境に保つことができる。また、人体、汗などの臭いは、これら通気孔を通して炭シート体の炭粒子に吸着され、炭粒子の脱臭効果により用品本体などの消臭を行うことができる。また、炭シート体は上部材の複数個の通気孔を通して作用するので、用品本体の表面側の身体などに効果的に作用し、充分な調湿効果、脱臭効果を得ることができる。更に、上部材及び下部材は、炭シート体の周囲の部位が相互に接着剤により固着されるので、炭シート体を下部材と上部材との間に固定的に介在させることができるとともに、炭シートを介在させた状態で両者を確実に固着することができる。また、こような用品本体では、上部材に複数個の通気孔が設けられているので、上部材が弾性変形して沈み込み易くなり、身体又はその一部を分散して支持することができるとともに、身体に対する押圧力を弱くすることができ、身体を優しく支持することができる。このような健康用品は、例えばマットレス、クッション、枕、体位変換具などである。
【０００９】
また、本発明では、前記用品本体は、天然発泡ゴムから形成された単一の用品用部材を上下に切断することによって、前記下部材及び前記上部材が形成されることを特徴とする。
【００１０】
本発明に従えば、下部材及び上部材は天然発泡ゴムから形成された用品用部材を切断することによって形成されるので、比較的容易に実質上同じ大きさの下部材及び上部材を形成することができる。一般に、天然ゴムを発泡させてマットレスなどを形成する場合、実質上同じ大きさに形成することは難しく、それ故に、別々に形成した二つの部材を重ね合わせても所定形状のものを形成することができないが、上述したように切断することによって、実質上同じ大きさの下部材及び上部材を形成することができる。このような用品用部材の切断は、その表面側に近い部位、例えば厚さが１０ｃｍ程度のものであればその表面から２〜３ｃｍの部位を切断するのが望ましく、このように切断することによって、炭シート体が用品本体の表面に近い部位に配置されるようになる。
【００１１】
また、本発明では、前記用品用部材には複数個の貫通孔が実質上全域にわたって設けられ、前記複数個の貫通孔を横切るように、前記用品用部材が上下に切断されることを特徴とする。
【００１２】
本発明に従えば、用品用部材に複数個の貫通孔が設けられ、これら貫通孔を横切るように用品用部材が切断されるので、かかる貫通孔が上部材の通気孔として機能する。
【００１３】
また、本発明では、前記用品用部材には、表面から裏面に向けて延びる複数個の凹部が実質上全域にわたって設けられ、前記複数個の凹部を横切るように、前記用品用部材が上下に切断されることを特徴とする。
【００１４】
本発明に従えば、用品用部材に複数個の凹部が設けられ、これら凹部を横切るように用品用部材が切断されるので、かかる凹部が上部材の通気孔として機能する。
【００１５】
また、本発明では、前記用品用部材には、表面から裏面に向けて延びる複数個の第１凹部と、裏面から表面に向けて延びる複数個の第２凹部とが実質上全域にわたって設けられ、前記複数個の第１凹部を横切るように、前記用品用部材が上下に切断されることを特徴とする。
【００１６】
本発明に従えば、用品用部材に表面から裏面に向けて延びる複数個の第１凹部が設けられ、これら第１凹部を横切るように用品用部材が切断されるので、これら第１凹部が上部材の通気孔として機能する。
【００１７】
また、本発明では、前記炭シート体は、通気性を通する一対のシートと、一対のシート間に貼付された備長炭及び／又は竹炭の粒子とから構成されていることを特徴とする。
【００１８】
本発明に従えば、炭粒子として備長炭及び／又は竹炭の粒子が用いられるので、所望の調湿効果及び脱臭効果に加えてマイナスイオン効果も得られ、血液の浄化作用、自律神経の調整作用なども得られる。
【００１９】
更に、本発明では、前記用品用本体は、ベッド用マットレス本体、シート用クッション本体、背もたれ用クッション本体、枕用芯本体又は体位変換具用芯本体であることを特徴とする。
【００２０】
本発明に従えば、ベッド用マットレス、シート用クッション、背もたれ用クッション、枕、体位変換具に好都合に適用することができる。
【００２１】
【発明の実施の形態】
以下、添付図面を参照して、本発明に従う健康用品の実施形態について説明する。まず、図１〜図４を参照して、健康用品としてのマットレスの一実施形態について説明する。図１は、一実施形態のマットレスを示す斜視図であり、図２は、図１のマットレスの上部材を接着する前の状態を示す平面図であり、図３は、図１のマットレスを示す部分断面図であり、図４は、図１のマットレスの炭シート体を一部切り欠いて示す斜視図である。
【００２２】
図１〜図３において、健康用品としてのマットレスは、用品本体としてのマットレス本体２を備え、このマットレス本体２は、接着剤により相互に固着される下部材４及び上部材６から構成されている。下部材４及び上部材６は実質上同じ大きさに形成され、長さＬが例えば１８５ｃｍ程度に、また幅Ｗが例えば９１ｃｍ程度に形成される。下部材４及び上部材６は、用品用部材としてのマットレス用部材８（図５、図６参照）を上下に切断することによって形成され、このように単一のマットレス用部材８を切断することによって、実質上同じ大きさの下部材４及び上部材６を容易に形成することができる。マットレス用部材は天然発泡ゴムから形成され、このような材料から形成することによって、環境に優しいマットレスとして提供することができる。
【００２３】
この実施形態では、図３から理解されるように、マットレス用部材８にはその実質上全域にわたって貫通孔１１が形成され（図５及び図６において、これら貫通孔を省略して示す）、これら貫通孔１１を横切るように、マットレス用部材８が上下に切断される。マットレス用部材８の厚みＴは１０ｃｍ程度に形成され、その表面から２〜３ｃｍの部位がカットラインとして上下に切断され、このように表面に近い部位を切断する（上部材６の厚さＴ１を例えば２〜３ｃｍ程度とする）ことによって、後述する炭シート体１０がマットレス本体２の表面に近い部位に配置され、炭シート体１０による効果が効果的に得られる。貫通孔１１は、直径が例えば５〜１５ｍｍ程度の大きさに形成され、上部材６に形成された部位が通気孔１２として機能する。
【００２４】
下部材４と上部材６との間には炭シート体１０が介在される。この形態では、図２に示すように、マットレス本体２の片部（図２において下部）に炭シート体１０が配設され、その他部（図２において上部）に他の炭シート体１０が配設される。各炭シート体１０はマットレス本体１２の半分の大きさより幾分小さく、各炭シート体１０の周囲に約３〜１０ｃｍ程度の幅の接着領域１４（図２において斜線で示す領域）が設けられ、かかる接着領域１４に接着剤を塗布して重ね合わせることによって、下部材４と上部材６とが相互に接着固定される。このように炭シート体１０の周囲を固着することによって、炭シート体１０自体が接着剤で覆われることがなく、炭シート体１０の通気性が確保される。
【００２５】
図示の炭シート体１０は、図４に示すように構成される。炭シート体１０は、相互に張り合わされる一対の通気性シート１６，１８を備え、これらシート１６，１８間に炭粒子２０が実質上均一に分散して収容される。この炭シート体１０は、裏側となるシート１６の内面に接着剤を塗布し、その接着面に炭粒子２０を分散して設け、これら炭粒子２０を覆うように表面側のシート１８を接着面に貼り付けることによって、図４に示すように形成され、このように形成することによって、炭シート体１０内に収容された炭粒子２０が表面側の通気性シート１８を通して空気に作用する。
【００２６】
通気性シート１６，１８は、例えば不織布シートから形成される。また、炭粒子２０は備長炭及び／又は竹炭の粒子から形成され、備長炭及び／又は竹炭から形成することによって、充分な調湿効果（湿度が高きときには湿気を吸収し、湿度が引くいときには湿気を放出する効果）及び脱臭効果（臭いを吸着して消臭する効果）が得られるとともに、そこから放出されるマイナスイオンによってマイナスイオン効果（血液の浄化作用、自律神経の調整作用などの効果）が得られ、放出されるマイナスイオンが身体に有効に作用する。
【００２７】
かかる炭粒子２０（備長炭及び／又は竹炭）は、例えば０．５〜３ｍｍ程度の大きさでよく、また炭粒子（備長炭及び／又は竹炭）２０の含有量は、例えば８０〜２００ｇ／ｍ２であるのが望ましく、１５０〜２００ｇ／ｍ２であるのが一層望ましい。炭粒子２０の含有量が８０ｇ／ｍ２より少なくなると、炭粒子２０による所望の調湿効果、脱臭効果、マイナスイオン効果などが得られ難くなり、一方２００ｇ／ｍ２を超えると、炭粒子２０を通気性シート１６，１８間に固定的に保持するのが難しくなる。
【００２８】
このマットレス本体２は、図１に一点鎖線で示すように、難燃性シートカバー２２によって覆われ、このように構成することによって、火気などに対する安全性を確保することができる。
【００２９】
次に、図５〜図７を参照して、上述したマットレスの製作手順について説明する。まず、天然ゴムを発泡させてマットレス用部材８を製作する。このマットレス用部材８の大きさは、例えば、長さＬが１８５ｃｍ、幅Ｗが９１ｃｍ、厚さＴ１０ｃｍに形成される。
【００３０】
次いで、天然発泡ゴム製のマットレス用部材８を、図６に示すように、肉厚の厚い（例えば７ｃｍ）下部材４及び肉厚の薄い（例えば３ｃｍ）上部材６に切断する。マットレス用部材８には複数個の貫通孔１１が形成されているので、この切断は任意の部位で行うようにしてもよい。
【００３１】
その後、図７に示すように、下部材４の内面（上面）の所定位置に一対の炭シート体１０を載置するとともに、下部材４の接着領域１４（炭シート体１０の周囲の部位であって、図７に斜線で示す領域）に接着剤を塗布する。そして、下部材４の内面に上部材６の内面を重ね合わせ、下部材４及び上部材６を相互に固着する。
【００３２】
このようにして図１及び図３に示すマットレスが製作され、下部材４及び上部材６間に炭シート体１０が介在され、上部材６の複数個の通気孔１２を通して炭シート体１０が外部に露出する。このようなマットレスにおいては、マットレス本体２に貫通孔１１が形成されているので、マットレス本体２自体が弾性変形して沈み込み易く、身体を分散して支持することができるとともに、身体に対する押圧力を弱くすることができる。また、これら貫通孔１１における上部材６の部位が炭シート体１０に対する通気孔１２として機能し、炭シート体１０内の炭粒子２０がこれら通気孔１２を通して周囲空気に作用し、炭粒子２０による調湿効果、脱臭効果などが得られる。
【００３３】
上述した実施形態では、マットレス本体２に２枚の炭シート体１０を配設しているが、図８に示すように、例えば炭シート体１０Ａを小さくし、マットレス本体４に間隔をおいて３枚の炭シート体１０Ａを配設するようにしてもよく、或いは４枚以上の炭シート体を配設するようにしてもよい。尚、この場合にも、図８に示すように、各炭シート体１０Ａの周囲に接着剤を塗布するための接着領域１４Ａ（図８において、斜線で示す領域）が設けられる。
【００３４】
また、上述した実施形態では、マットレス用部材８に複数個の貫通孔１１を設けているが、これら貫通孔１１に代えて、その表面から裏面に向けて延びる複数個の凹部３２を設けるようにしてもよい。この場合、図９に示すように、マットレス用部材の複数個の凹部３２を横切るように、マットレス用部材が厚さ方向に切断され、かく切断した下部材４Ａと上部材６Ａとの間に炭シート体１０が介在される。このようなマットレス本体２Ａにおいては、複数個の凹部３２における上部材６Ａの部位が通気孔１２Ａとして機能し、炭シート体１０はかかる通気孔１２Ａを通して外部に露出し、従って、図１〜図４に示す実施形態と同様の作用効果が達成される。
【００３５】
また、これらの凹部３２に代えて、マットレス用部材に、その表面から裏面に向けて延びる複数個の第１凹部３４と、その裏面から表面に向けて延びる第２凹部３６とを設けるようにしてもよい。この場合、図１０に示すように、マットレス用部材の複数個の第１凹部３４を横切るように、マットレス用部材が厚さ方向に切断され、かく切断した下部材４Ｂと上部材６Ｂとの間に炭シート体１０が介在される。このようなマットレス本体２Ｂにおいては、複数個の第１凹部３４における上部材６Ｂの部位が通気孔１２Ｂとして機能し、炭シート体１０はかかる通気孔１２Ｂを通して外部に露出し、従って、上述した実施形態と同様の作用効果が達成される。
【００３６】
以上、本発明を健康用品としてのマットレスに適用してその実施形態について説明したが、本発明はかかる実施形態に限定されるものではなく、本発明の範囲を逸脱することなく種々の変形乃至修正が可能である。
【００３７】
例えば、上述した実施形態では、健康用品としてのマットレスに適用しているが、マットレス以外に、シート用クッション、背もたれ用クッション、枕、体位変換具などにも同様に適用することができ、例えば健康用品としての枕に適用する場合、図１１に示すように構成される。図１１において、健康用品としての図示の枕は、用品本体としての枕用芯本体４２を備え、この枕用芯本体４２は、上述したマットレス本体２と同様に、接着剤により相互に固着される下部材４４及び上部材４６から構成されている。下部材４４及び上部材４６は実質上同じ大きさに形成され、用品用部材としての枕用芯部材を厚さ方向に切断することによって形成される。枕用芯部材は天然発泡ゴムから形成される。
【００３８】
図示の枕においても、枕用芯部材にはその実質上全域にわたって貫通孔４８が形成され、これら貫通孔４８を横切るように、枕用芯部材が上下に切断され、これら貫通孔４８における上部材４６の部位が通気孔５０として機能する。
【００３９】
下部材４４と上部材４６との間には、上述したと同様の構成の炭シート体５２が介在される。炭シート体５２の周囲には所定幅の接着領域が設けられ、かかる接着領域に接着剤を塗布して重ね合わせることによって、下部材４４と上部材４６とが相互に接着固定される。この枕用芯本体４２は、図１１に一点鎖線で示すように、難燃性枕カバー５４によって覆われる。
【００４０】
このような枕用芯本体４２は上述したマットレス本体２と同様に製作され、枕用芯本体４２の下部材４４及び上部材４６間に炭シート体５２が介在され、上部材４６の複数個の通気孔５０を通して炭シート体５２が外部に露出する。従って、枕用芯本体４２の基本的構成は上記マットレス本体２と実質上同一であるので、上述したと同様の作用効果が達成され、所望の調湿効果、脱臭効果などが得られる。
【００４１】
尚、健康用品としてのシート用又は背もたれ用クッション（又は体位変換具）に適用する場合、クッション本体（又は体位変換具用芯本体）は、上述したマットレス本体２と同様に、接着剤により相互に固着される下部材及び上部材から構成され、かかる下部材及び上部材間に炭シート体が介在される。
【００４２】
【発明の効果】
本発明の請求項１の健康用品によれば、用品本体の上部材と下部材との間に炭シート体が配設され、上部材には実質上全域にわたって通気孔が形成されているので、これら通気孔を通して炭シート体が外部に露出し、炭粒子の調湿効果及び脱臭効果により用品本体の実質上全域を快適環境を保つことができる。また、炭シート体は上部材の複数個の通気孔を通して作用するので、用品本体の表面側の身体などに効果的に作用し、充分な調湿効果、脱臭効果を得ることができる。更に、上部材及び下部材は、炭シート体の周囲の部位が相互に接着剤により固着されるので、炭シート体を下部材と上部材との間に固定的に介在させることができる。また、こような用品本体では、上部材に複数個の通気孔が設けられているので、上部材が弾性変形して沈み込み易くなり、身体又はその一部を分散して支持することができるとともに、身体に対する押圧力を弱くすることができる。
【００４３】
また、本発明の請求項２の健康用品によれば、下部材及び上部材は天然発泡ゴムから形成された用品用部材を切断することによって形成されるので、比較的容易に実質上同じ大きさの下部材及び上部材を形成することができる。
【００４４】
また、本発明の請求項３の健康用品によれば、用品用部材に設けられた複数個の貫通孔を横切るように用品用部材が切断されるので、かかる貫通孔が上部材の通気孔として機能する。
【００４５】
また、本発明の請求項４の健康用品によれば、用品用部材に設けられた複数個の凹部を横切るように用品用部材が切断されるので、かかる凹部が上部材の通気孔として機能する。
【００４６】
また、本発明の請求項５の健康用品によれば、用品用部材の表面から裏面に向けて延びる複数個の第１凹部を横切るように用品用部材が切断されるので、これら第１凹部が上部材の通気孔として機能する。
【００４７】
また、本発明の請求項６の健康用品によれば、炭粒子として備長炭及び／又は竹炭の粒子が用いられるので、所望の調湿効果及び脱臭効果に加えてマイナスイオン効果も得られる。
【００４８】
更に、本発明の請求項７の健康用品によれば、ベッド用マットレス、シート用クッション、背もたれ用クッション、枕、体位変換具に好都合に適用することができる。
【図面の簡単な説明】
【図１】本発明に従う健康用品としてのマットレスの一実施形態を示す斜視図である。
【図２】図１のマットレスの上部材を接着する前の状態を示す平面図である。
【図３】図１のマットレスを示す部分断面図である。
【図４】図１のマットレスの炭シート体を一部切り欠いて示す斜視図である。
【図５】下部材及び上部材を形成するためのマットレス用部材を示す斜視図である。
【図６】マットレス用部材を下部材及び上部材に切断した状態を示す斜視図である
【図７】下部材の内面に一対の炭シート体を載置した状態を示す斜視図である。
【図８】変形形態の炭シート体を用いた例を示す、図２に対応する平面図である。
【図９】変形形態のマットレスを示す、図３に対応する断面図である。
【図１０】他の変形形態のマットレスを示す、図３に対応する断面図である。
【図１１】健康用品としての枕に適用した実施形態を示す断面図である。
【符号の説明】
２，２Ａ，２Ｂ　マットレス本体
４，４Ａ，４Ｂ，４６　下部材
６，６Ａ，６Ｂ，４８　上部材
８　マットレス用部材
１０，１０Ａ，５２　炭シート体
１１，４８　貫通孔
１２，１２Ａ，１２Ｂ，５０　通気孔
１４　接着領域
１６，１８　通気性シート
２０　炭粒子
２２　難燃性シートカバー
３２　凹部
３４　第１凹部
３６　第２凹部
４２　枕用芯本体
【図１】
2004065817.tif 000003
【図２】
2004065817.tif 000004
【図３】
2004065817.tif 000005
【図４】
2004065817.tif 000006
【図５】
2004065817.tif 000007
【図６】
2004065817.tif 000008
【図７】
2004065817.tif 000009
【図８】
2004065817.tif 000010
【図９】
2004065817.tif 000011
【図１０】
2004065817.tif 000012
【図１１】
2004065817.tif 000013